(57)【要約】【課題】名刺ケースから名刺を簡単に取り出したり、収容したりすることができる名刺ケースを提供する。【解決手段】複数の名刺１０を積み重ねた状態に収容するケース本体２と該ケース本体２の上面開口を閉塞する蓋ケース６とを有する名刺ケース１において、前記ケース本体２の形状が、該ケース本体２の一側面を除去したことによる開放口３を備えた形状とされ、該ケース本体２の上面開口のほかに前記開放口３からも名刺を出し入れすることができるようにした。【選択図】図３
0003110335.tif 000002
【実用新案登録請求の範囲】
【請求項１】
複数の名刺を積み重ねた状態に収容するケース本体と該ケース本体の上面開口を閉塞する蓋ケースとを有する名刺ケースにおいて、前記ケース本体の形状が、該ケース本体の一側面を除去したことによる開放口を備えた形状とされ、該ケース本体の上面開口のほかに前記開放口からも名刺を出し入れすることができるようにしたことを特徴とする名刺ケース。
【請求項２】
前記蓋ケースを閉じた状態で前記本体ケースの開放口の下部に形成される隙間から前記本体ケースに収容された名刺の最下部の一枚又は数枚を排出することができるようにしたことを特徴とする請求項１記載の名刺ケース。
【考案の詳細な説明】
【技術分野】
【０００１】
本考案は、名刺を収容するための名刺ケースに関する。
【背景技術】
【０００２】
従来から使用されている名刺ケースは、上面が開口された矩形箱状のケース本体と、このケース本体の上面開口を閉塞する蓋ケースとから構成され、ケース本体の内部に名刺を積み重ねた状態で収容するものである。
【０００３】
このような名刺ケースに収容された名刺を取り出す場合、急に一枚の名刺が必要になる場合と、数枚の名刺を取り出して名刺入れに補充する必要が生じる場合がある。いずれにしても、ケース本体の内部に名刺が四方に隙間なく積み重ねられているため、本体ケース内に指を入れて１枚又は数枚の名刺を取り出す余地がなく、そのため、ケース本体を逆さまにひっくり返して全ての名刺を取り出し、その名刺の中から必要枚数を取り出した後、再び残りの名刺をケース本体に収容するという面倒な作業が必要であった。また、上記のように名刺の大きさがケース本体の内部の大きさとほぼ一致しているため、残りの名刺をケース本体に戻す作業に手間を要するものであった。
【０００４】
このような欠点を解消するために、特許文献１に記載された名刺ケースが案出されている。この名刺ケース３０は、図６に示すように、複数の名刺３１を積み重ねた状態に収容するケース本体３２と、このケース本体３２の一側壁部の下部に形成され、名刺１枚分が通過可能なスリット状の名刺出口３３とを備えてなるものである。このような構成により、ケース本体３２内部の最下部の名刺３１ａが名刺出口３３から排出されるものであり、名刺３１の取り出しが簡単になるというものである。
【特許文献１】特開２０００−２１１２８３号公報
【考案の開示】
【考案が解決しようとする課題】
【０００５】
ところが、上記の名刺ケース３０において、ケース本体３２内部の最下部の名刺３１ａを名刺出口３３から排出する際、ケース本体３２の内部に収容された名刺３１は夫々の名刺３１が密着した状態にあるため、最下部の名刺３１ａを名刺出口３３から外方に排出する作業が円滑に行えないという不都合があった。また、ケース本体３２内に収容された名刺が少しでも減ると、上方からの押さえがないため、名刺出口３３から外方に排出された名刺を指で押すと、中に入ってしまうという不都合があった。
【０００６】
また、この本体ケース３２の上面開口は従来の名刺ケースと同様に、四方に側面を有し、その内部は名刺の周囲に余地がない状態で収納されるものであるから、積み重ねた名刺３１を本体ケース３２内に収容する作業が面倒であるという欠点があった。
【０００７】
本考案は上記の事情に鑑みてなされたもので、名刺ケースからほぼ必要枚数の名刺を簡単に取り出したり、収容したりすることができる名刺ケースを提供することを目的とする。
【課題を解決するための手段】
【０００８】
上記の目的を達成するために、本考案の請求項１の名刺ケースは、複数の名刺を積み重ねた状態に収容するケース本体と該ケース本体の上面開口を閉塞する蓋ケースとを有する名刺ケースにおいて、前記ケース本体の形状が、該ケース本体の一側面を除去したことによる開放口を備えた形状とされ、該ケース本体の上面開口のほかに前記開放口からも名刺を出し入れすることができるようにしたことを特徴とする。
【０００９】
本考案の請求項２の名刺ケースは、請求項１において、前記蓋ケースを閉じた状態で前記本体ケースの開放口の下部に形成される隙間から前記本体ケースに収容された名刺の最下部の一枚又は数枚を排出することができるようにしたことを特徴とする。
【考案の効果】
【００１０】
本考案の名刺ケースは、ケース本体の形状が、該ケース本体の一側面を除去したことによる開放口を備えた形状とされているため、従来から名刺の出し入れに使用されるケース本体の上面開口のほかに、側方の開放口からも名刺を出し入れすることが可能となる。
【００１１】
また、本体ケースに積み重ねた名刺を収容して蓋ケースを閉じた状態にしたとき、開放口の下部に隙間を有するため、名刺ケースを軽く振ることによって、開放口の下部の隙間から本体ケース内の名刺の最下部の一枚又は数枚を排出することができる。
【００１２】
また、本体ケースから蓋ケースを開けると、本体ケースの開放口に積み重ねられた名刺の一側が露出するため、この露出した一側に指を当てて名刺を上方から取り出すことも容易となる。
【考案を実施するための最良の形態】
【００１３】
以下、本考案の実施例について図面を参照しながら説明する。
【実施例１】
【００１４】
本考案の名刺ケース１は、図１に示すように、矩形箱形の本体ケース２の四方の側面のうちの一側面を除去したことによって、一側に開放口３を備えた本体ケース２を有するものである。なお、いずれの一側面を除去して開放口３を形成するかは特に限定されないが、本実施例においては、短辺側の一側面を除去することによって開放口３としている。このような構成により、本体ケース２は底面４と三方の側面５ａ、５ｂ、５ｃとを有し、短辺の一側に開放口３を有することとなる。
【００１５】
また、蓋ケース６は、従来と同様に天面７と四方の側面８、８…を有する形状とされている。この蓋ケース６は、図３(ａ)又は図５(ａ)に示すように、該蓋ケース６をケース本体２に閉じたとき、本体ケース２の開放口３の下部に僅かに隙間９を開けた状態となるように形成されているため、蓋ケース６を閉じた状態で名刺ケース１を軽く振ると、図３(ｂ)又は図５(ｂ)に示すように、開放口３の下部の隙間９から本体ケース２内の最下部の名刺１０ａが一枚又は数枚排出されることとなる。
【００１６】
また、本体ケース２から蓋ケース６を開けた状態にすると、図４(ｃ)に示すように、本体ケース２の開放口３に積み重ねられた名刺１０の一側が露出するため、この露出した一側に指を当てて名刺１０を上方から容易に取り出すことが可能となる。
【００１７】
上記の構成の名刺ケース１に積み重ねた名刺１０を入れた状態にして納品する際には、図２に示すように、名刺１０の一側に折り曲げた用紙１１を被せた状態にしておく。そして、図４(a)に示すように、この積み重ねた名刺１０を本体ケース２に収納する。このとき、本体ケース２に開放口３が設けられているため、積み重ねた名刺１０の収納作業も容易に行うことができる。
【００１８】
また、名刺１０を使用する際は、上記の用紙１１を図４(ｂ)に示すように抜き出して、図４(ｃ)に示すように、開放口３に積み重ねた名刺１０の一側を露出した状態にし、この端部に指を当てて名刺１０を取り出すことが容易となる。
【００１９】
また、蓋ケース６を閉じた状態にした場合、開放口３の下部に隙間９を有するため、名刺ケース１を軽く振ることによって、その隙間９から本体ケース２内の最下部の名刺１０を一枚又は数枚排出させることができる。
【産業上の利用可能性】
【００２０】
本考案の名刺ケースは、本体ケース内に積み重ねた名刺を簡単に収容でき、本体ケースに蓋ケースを閉じた状態であっても、また蓋ケースを開けた状態であっても、本体ケースの内部に収容した名刺を容易に取り出すことができる利便な名刺ケースとして利用することが可能である。
【図面の簡単な説明】
【００２１】
【図１】本考案による名刺ケースの本体ケースと蓋ケースの斜視図である。
【図２】積み重ねた名刺の一側に用紙を被せた状況を示す斜視図である。
【図３】（ａ）本考案における本体ケースに蓋ケースを閉じた状態を示す斜視図、(ｂ)は開放口の下部の隙間から本体ケース内の最下部の名刺を排出している状況を示す斜視図である。
【図４】（ａ）は本考案による名刺ケースの本体ケース内に積み重ねた名刺を収容した状況を示す斜視図、(ｂ)は本体ケース内に積み重ねた名刺の一側から用紙を抜き出している状況を示す斜視図、(ｃ)は本体ケース内に用紙を抜き去った状態で名刺を積み重ねた状態を示す斜視図である。
【図５】(ａ)は本考案による名刺ケースに蓋ケースを閉じた状態を示す断面図、(ｂ)は本考案による名刺ケースから内部の名刺を排出している状況を示す断面図である。
【図６】特許文献１の断面図である。
【符号の説明】
【００２２】
１    名刺ケース
２    本体ケース
３    開放口
４    底面
５ａ、５ｂ、５ｃ  側面
６    蓋ケース
７    天面
８側面
９隙間
１０  名刺
１１  用紙
【図１】
0003110335.tif 000003
【図２】
0003110335.tif 000004
【図３】
0003110335.tif 000005
【図４】
0003110335.tif 000006
【図５】
0003110335.tif 000007
【図６】
0003110335.tif 000008